【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
壁、床、天井またはドアを構成するのに用いられる積層構造であって、
非金属材料からなる２つの外部層と、
少なくとも一つの内部非ハニカム拘束層と、
前記少なくとも一つの内部拘束層によって分離された粘弾性接着剤からなる２以上の内部層とを有し、
前記少なくとも一つの内部拘束層が、油が塗られておらず、スパックル処理されたシート状金属層を含むことを特徴とする積層構造。
【請求項２】
前記２つの外部層が選択された厚さの石膏ボード層を各々有することを特徴とする請求項１に記載の積層構造。
【請求項３】
前記接着剤が吸音性の粘弾性材料を含むことを特徴とする請求項２に記載の積層構造。
【請求項４】
前記シート状金属層が選択された厚さを有することを特徴とする請求項３に記載の積層構造。
【請求項５】
前記シート状金属層が亜鉛めっき鋼を有することを特徴とする請求項１乃至４の何れかに記載の積層構造。
【請求項６】
積層構造であって、
選択された材料からなる少なくとも一つの内部層と、
前記内部層の各側に設けられた、粘弾性接着剤からなる２つの内部層と、
粘弾性接着剤からなる各内部層の他側に設けられた非金属材料からなる少なくとも一つの付加層とを有し、
前記少なくとも一つの内部層が、油が塗られておらず、スパックル処理されたシート状金属層を含むことを特徴とする積層構造。
【請求項７】
前記少なくとも一つの付加層が第１の吸音性材料からなる外部層を含むことを特徴とする請求項６に記載の積層構造。
【請求項８】
前記第１の吸音性材料からなる外部層が石膏を含むことを特徴とする請求項７に記載の積層構造。
【請求項９】
前記少なくとも一つの外部層が複数の選択された材料からなることを特徴とする請求項７に記載の積層構造。
【請求項１０】
前記複数の選択された材料からなる外部層が、
金属からなる第１の層と、
粘弾性接着剤からなる第２の層と、
非金属材料からなる第３の層とを有することを特徴とする請求項９に記載の積層構造。
【請求項１１】
前記非金属材料からなる前記第３の層が石膏を含むことを特徴とする請求項１０に記載の積層構造。
【請求項１２】
前記少なくとも一つの内部層がセルロース材料を含むことを特徴とする請求項６に記載の積層構造。
【請求項１３】
前記少なくとも一つの内部層がビニル、プラスチック複合材、またはゴムからなる群から選択される固体石油系合成材料からなる層を含むことを特徴とする請求項６に記載の積層構造。
【請求項１４】
壁、床、天井またはドアを構成するのに用いられる積層構造であって、
非金属材料からなる２つの外部層と、
少なくとも一つの内部拘束層と、
前記少なくとも一つの内部拘束層によって分離された粘弾性接着剤からなる２以上の内部層とを有し、
前記少なくとも１つの内部拘束層が、油が塗られておらず、スパックル処理されたシート状金属層を含むことを特徴とする積層構造。
【請求項１５】
壁、床、天井またはドアを構成するのに用いられる積層構造であって、
非金属材料からなる２つの外部層と、
少なくとも一つの内部拘束層と、
前記少なくとも一つの内部拘束層によって分離された粘弾性接着剤からなる２以上の内部層とを有し、
前記少なくとも１つの内部拘束層が、油が塗られておらず、スパックル処理されたシート状金属層を含むことを特徴とする積層構造。
【請求項１６】
壁、床、天井またはドアを構成するのに用いられる積層構造の形成方法であって、
２つの面を有する第１の非金属材料からなる層を提供する過程と、
前記第１の非金属材料からなる層の一面に粘弾性接着剤からなる層を配置する過程と、
前記粘弾性接着剤上に所定の材料からなる少なくとも一つの内部非ハニカム拘束層を配置する過程と、
前記所定の材料からなる拘束層の一面上に粘弾性接着剤からなる層を配置する過程と、
前記粘弾性接着剤上に第２の非金属材料からなる層を配置する過程と、
前記第２の非金属材料からなる層を前記粘弾性接着剤からなる層及び前記第１の非金属材料からなる層に選択された時間押し付ける過程と、
前記積層構造を乾燥させる過程とを有し、
前記拘束層が、油が塗られておらず、スパックル処理されたシート状金属層を含むことを特徴とする方法。
【請求項１７】
積層構造であって、
第１の選択された材料からなる少なくとも一つの内部層と、
前記第１の選択された材料からなる内部層の各側に設けられた、粘弾性接着剤からなる第１及び第２の内部層と、
前記粘弾性接着剤からなる第１及び第２の内部層のそれぞれの他側に設けられた、第２の選択された材料からなる少なくとも一つの付加層と、
前記第２の選択された材料からなる少なくとも一つの付加層の他側にそれぞれ設けられた、粘弾性接着剤からなる第３及び第４の内部層と、
前記粘弾性接着剤からなる第３及び第４の内部層の他側に設けられた、非金属材料からなる少なくとも一つの付加層とを有し、
第１の選択された材料からなる内部層及び前記第２の選択された材料からなる付加層のうちの少なくとも１つが、油が塗られておらず、スパックルによる目地埋め平坦化処理されたシート状金属層を含むことを特徴とする積層構造。
【請求項１８】
層状構造の形成方法であって、
２つの面を有する第１の材料からなる層を提供する過程と、
前記第１の材料からなる層の一面に粘弾性接着剤からなる層を配置する過程と、
前記粘弾性接着剤上に第２の材料からなる層を配置する過程と、
前記第２の材料からなる層を前記粘弾性接着剤の層及び前記第１の材料からなる層に選択された時間押し付ける過程と、
前記第２の材料からなる層、前記第１の材料からなる層、及び前記粘弾性接着剤を乾燥させる過程と、
形成された２以上の層状構造の内面となるべき各面上に粘弾性接着剤からなる層を形成する過程と、
所定の材料からなる内部層または選択された複数の材料からなる複数の層を提供する過程と、
２以上の内面となるべき面が前記内部層または前記複数の層に隣接するように２以上の層状構造を配置する過程と、
上記過程によって形成された複合構造を所定時間、所定圧力で加圧する過程と、
前記加圧された複合構造を乾燥させる過程とを有し、
前記内部層が、油が塗られておらず、スパックルによる目地埋め平坦化処理されたシート状金属層を含むことを特徴とする方法。
【請求項１９】
前記第１の材料が金属層を含み、前記第２の材料が石膏層を含むことを特徴とする請求項１８に記載の方法。
【請求項２０】
前記内部層の金属層が、亜鉛めっき鋼、ステンレス鋼、アルミニウム、チタニウム、及び２以上の金属の複合材からなる群から選択された金属層を含むことを特徴とする請求項１８に記載の方法。
【請求項２１】
前記金属層が亜鉛めっき鋼を含むことを特徴とする請求項１８若しくは２０に記載の方法。
【請求項２２】
層状構造の形成方法であって、
２つの面を有する第１の材料からなる層を提供する過程と、
前記第１の材料からなる層の一面に粘弾性接着剤からなる層を配置する過程と、
前記粘弾性接着剤上に、前記第１の材料の１００分の１から２分の１の厚さの第２の材料からなる層を配置する過程と、
前記第２の材料からなる層を前記粘弾性接着剤の層及び前記第１の材料に選択された時間押し付ける過程と、
前記第２の材料からなる層、前記第１の材料からなる層、及び前記粘弾性接着剤を乾燥させる過程とを有し、
前記第２の材料からなる層が、油が塗られておらず、スパックルによる目地埋め平坦化処理されたシート状金属層を含むことを特徴とする方法。
【請求項２３】
前記第１の材料が石膏層を含むことを特徴とする請求項２２に記載の方法。
【請求項２４】
前記第１の材料がセルロース系材料及び木材からなる群から選択された層を含むことを特徴とする請求項２２に記載の方法。
【請求項２５】
層状構造の形成方法であって、
２つの面を有する第１の材料からなる層を提供する過程と、
前記第１の材料からなる層の一面に粘弾性接着剤からなる層を配置する過程と、
前記粘弾性接着剤上に第２の材料からなる層を配置する過程と、
前記第２の材料からなる層を前記粘弾性接着剤の層及び前記第１の材料に選択された時間押し付ける過程と、
前記第２の材料からなる層、前記第１の材料からなる層、及び前記粘弾性接着剤を乾燥させる過程とを有し、
第１の材料からなる層及び前記第２の材料からなる層のうちの少なくとも１つが、油が塗られておらず、スパックルによる目地埋め平坦化処理されたシート状金属層を含むことを特徴とする方法。
【請求項２６】
前記２つの外部層が対称的であり、全く同じタイプの材料から形成され、全く同じ密度及び厚さを有することを特徴とする請求項２５に記載の方法。
【請求項２７】
前記２つの外部層が非対称であり、全く同じタイプの材料以外の材料からなり、全く同じ密度及び厚さ以外の密度及び厚さを有していることを特徴とする請求項２５に記載の方法。
【請求項２８】
前記２以上の内部層が対称的であり、全く同じタイプの材料から形成され、全く同じ密度及び厚さを有することを特徴とする請求項２５に記載の方法。
【請求項２９】
前記２以上の内部層が非対称であり、全く同じタイプの材料以外の材料からなり、全く同じ密度及び厚さ以外の密度及び厚さを有していることを特徴とする請求項２５に記載の方法。
【請求項３０】
層状の吸音構造であって、
２つの面を有する第１の材料からなる層と、
前記第１の材料からなる層の一面上に設けられた粘弾性接着剤からなる層と、
前記粘弾性接着剤上に設けられた第２の材料からなる層とを有し、
第１の材料からなる層及び前記第２の材料からなる層のうちの少なくとも１つが、油が塗られておらず、スパックルによる目地埋め平坦化処理されたシート状金属層を含むことを特徴とする構造。
【請求項３１】
前記第２の材料からなる層が前記第１の材料の１０分の１から２分の１の厚さであることを特徴とする請求項３０に記載の層状吸音構造。